(57)【要約】【課題】ハウジングにロータリーシャッタを備えた磁気ディスクカートリッジにおいて、ハウジングとロータリーシャッタとの間からの塵埃等の侵入を防止する。【解決手段】磁気ディスクカートリッジ１のハウジング（上下シェルハーフ３、４）の開口縁部３ｄ、４ｄの内面に防塵部としてのパッキン１３を設ける。さらに、ハウジングの上下シェルハーフ３、４の開口縁端部３ｅ、４ｅを内側（磁気ディスク５側）に向けて折り曲げることにより、この折曲部３ｅ、４ｅも防塵部として機能させる。併せて、ロータリーシャッタ７の端部７ｅを内側（磁気ディスク５側）に向けて折り曲げて、ロータリーシャッタ７の端部７ｅと折曲部３ｅ、４ｅとの干渉を防ぐ。【選択図】          図２
2004272973.tif 000002
【特許請求の範囲】
【請求項１】
開口を有する上下シェルハーフにより構成された扁平なハウジング内に、記録媒体としての磁気ディスクと、前記開口を開閉するロータリーシャッタとが回転自在に収容された磁気ディスクカートリッジにおいて、
前記ハウジングの前記開口に臨む開口縁部に防塵部が設けられ、
該防塵部は、該防塵部と前記ロータリーシャッタの外面との間隔が、前記ハウジングの内面と前記ロータリーシャッタの外面との間隔よりも小さくなるように設けられていることを特徴とする磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型の磁気ディスクカートリッジに関するものである。
【０００２】
【従来の技術】
従来より、デジタルカメラ等のモバイル機器においては、記録媒体として例えば特許文献１に記載されているような、「ｃｌｉｋ！（登録商標）」と呼ばれる超小型の磁気ディスクカートリッジが使用されている。
【０００３】
この磁気ディスクカートリッジは、押込み部を含む樹脂製のフレームと、金属薄板からなる上下シェルハーフとによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスクを回転自在に収容したものである。
【０００４】
この磁気ディスクカートリッジのハウジングには、ドライブ装置が備えている磁気ヘッドを磁気ディスクの表面にアクセスさせるためのＶ字状の開口と、この開口を開閉するロータリーシャッタとが設けられている。このロータリーシャッタは、小径の細長いコイルばねによって閉方向にばね付勢されている。
【０００５】
また、ハウジングの左側面先端部には、ドライブ装置内の係合部に係合させて、ドライブ装置内での位置決めを確実にするためのノッチが形成され、右側面先端部には、ロータリーシャッタを閉位置にロックするシャッタロック部材を外部に臨ませる小窓が形成されている。
【０００６】
さらに、ハウジングの下シェルハーフには、磁気ディスクのセンタコアにドライブ装置の回転スピンドルを結合させるための円形の開口と、ロータリーシャッタと同心的な円弧状溝とが形成され、ロータリーシャッタには、上記円弧状溝から突出しかつこの円弧状溝に沿って移動してロータリーシャッタを開閉するシャッタノブが固設されている。
【０００７】
【特許文献１】
米国特許第６２５６１６８号公報
【０００８】
【発明が解決しようとする課題】
ところで、上記の様な磁気ディスクカートリッジにおいては、ハウジングの上記磁気ヘッドをアクセスさせるための開口におけるハウジングとロータリーシャッタとの間からハウジング内に塵埃等が侵入して磁気ディスクに付着することにより、磁気ディスクへのアクセス時にエラーを発生させる虞があった。
【０００９】
本発明は上記問題に鑑みてなされたものであり、ハウジングにロータリーシャッタを備えた磁気ディスクカートリッジにおいて、ハウジングとロータリーシャッタとの間からの塵埃等の侵入を防止した磁気ディスクカートリッジを提供することを目的とするものである。
【００１０】
【課題を解決するための手段】
本発明による磁気ディスクカートリッジは、開口を有する上下シェルハーフにより構成された扁平なハウジング内に、記録媒体としての磁気ディスクと、開口を開閉するロータリーシャッタとが回転自在に収容された磁気ディスクカートリッジにおいて、ハウジングの前記開口に臨む開口縁部に防塵部が設けられ、この防塵部は、防塵部とロータリーシャッタの外面との間隔が、ハウジングの内面とロータリーシャッタの外面との間隔よりも小さくなるように設けられていることを特徴とするものである。
【００１１】
ここで「防塵部とロータリーシャッタの外面との間隔が、ハウジングの内面とロータリーシャッタの外面との間隔よりも小さくなる」とは、防塵部とロータリーシャッタの外面とを接触させて、両者の間隔を無くすることも含む。
【００１２】
【発明の効果】
本発明による磁気ディスクカートリッジは、ハウジングの開口の縁部に、ハウジングの内面とロータリーシャッタの外面との間隔を狭くするための防塵部を設けたことにより、ハウジングとロータリーシャッタとの間からの塵埃等の侵入を防止することが可能となる。
【００１３】
【発明の実施の形態】
以下、本発明の実施の形態について図面とともに詳細に説明する、
図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図であり、図２は図１（ａ）のＩＩ−ＩＩ線断面図である。
【００１４】
図３は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１５】
図１に示す磁気ディスクカートリッジ１は、押込み部２ａを含む樹脂製のフレーム２と、金属薄板からなる上下シェルハーフ３、４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【００１６】
上記ハウジングには、図３に示すドライブ装置本体２０が備えている磁気ヘッド２７を磁気ディスク５の表面にアクセスさせるためのＶ字状の開口６と、この開口６を開閉するロータリーシャッタ７とが設けられている。ロータリーシャッタ７は、ハウジング内に設けられた小径の細長いコイルばね（図示は省略）によって閉方向（図１（ａ）の反時計方向）にばね付勢されている。
【００１７】
ハウジング（上下シェルハーフ３、４）の開口縁部３ｄ、４ｄの内面には、ハウジング（上下シェルハーフ３、４）の内面とロータリーシャッタの外面の間隔ｈを小さくすべく、防塵部としてのパッキン１３が設けられており、これによりハウジング（上下シェルハーフ３、４）の内面とロータリーシャッタ７の外面との間隔が無くなるため、ハウジングとロータリーシャッタとの間からの塵埃等の侵入を防止することが可能となる。
【００１８】
さらに、ハウジングの上下シェルハーフ３、４の開口縁端部３ｅ、４ｅを内側（磁気ディスク５側）に向けて折り曲げることにより、この折曲部３ｅ、４ｅも防塵部として機能させることができる。また、上下シェルハーフ３、４に折曲部３ｅ、４ｅを形成することにより、上下シェルハーフ３、４の剛性を向上させる効果を得ることができる。
【００１９】
なお、このような態様とした場合、ロータリーシャッタ７を開閉させる際に、ロータリーシャッタ７の端部７ｅが上下シェルハーフ３、４の開口縁端部３ｅ、４ｅと干渉してしまう虞があるため、ロータリーシャッタ７の端部７ｅを内側（磁気ディスク５側）に向けて折り曲げることにより、上記問題を解消することができる。
【００２０】
なお、上記のよう防塵部は、ハウジングの開口縁部全てに設けることが好ましいが、開口縁部の一部のみ設けても防塵性を向上させることができる。
【００２１】
ハウジングの左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１を外部に臨ませる小窓９が形成されている。なお、図１はロータリーシャッタ７が閉位置にロックされている状態を示す。
【００２２】
ハウジングの下シェル４には、磁気ディスク５のセンタコア１０にドライブ装置本体２０の回転スピンドル２３を結合させるための円形の開口４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００２３】
ロータリーシャッタ７を閉位置にロックするシャッタロック部材１１は、ハウジングに設けられた軸１２に回動自在に取り付けられているとともに、ロータリーシャッタ７をロックする方向にばね付勢されている。そして、磁気ディスクカートリッジ１がドライブ装置本体２０へ挿入される際に、ドライブ装置本体２０側に設けられたロック解除部材１９が小窓９を通してこのシャッタロック部材１１を押圧することにより、ロック部材１１がロック解除方向に僅かに回動されて、ロータリーシャッタ７のロックが解除されるように構成されている。
【００２４】
図３に示すドライブ装置本体２０は、幅５３ｍｍ、奥行き８５ｍｍ、厚さ５ｍｍの寸法を有するＴＹＰＥＩＩ  ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００２５】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００２６】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００２７】
そして、磁気ディスクカートリッジ１がドライブ装置のスロット２１に挿入されると、先ずロック解除部材１９がシャッタロック部材１１を押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００２８】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【図面の簡単な説明】
【図１】本発明による磁気ディスクカートリッジの平面図（ａ）、右側面図（ｂ）および底面図（ｃ）
【図２】図１（ａ）におけるＩＩ−ＩＩ線断面図
【図３】本発明による磁気ディスクカートリッジに対応したＰＣカード型ドライブ装置のドライブ装置本体平面図
【符号の説明】
１    磁気ディスクカートリッジ
２    フレーム
３    上シェルハーフ
４    下シェルハーフ
５    磁気ディスク
７    ロータリーシャッタ
１３    パッキン
１８    係止壁
１９    ロック解除部材
２０    ドライブ装置本体
【図１】
2004272973.tif 000003
【図２】
2004272973.tif 000004
【図３】
2004272973.tif 000005